(57)【要約】【課題】  間仕切り装置を構成するパネルであって、表面材を貼着することなく材質面を表面化したパネルの提供。【解決手段】  パネル１の両側端には縦保護枠２，２を取付け、パネル上端には上保護枠３を取付け、パネル下端には下保護枠４を取付けたもので、上記各保護枠は概略Ｌ形断面の長尺材であって端面部８と背面部９を有し、各保護枠の端面部８はパネル側端面、上端面、及び下端面に当り、背面部９はパネルの裏面に当接して固定され、そして縦保護枠２のコーナーには外側へ延びるＬ形断面の止着片１１を形成している。【選択図】    図２
2007224679.tif 000002
【特許請求の範囲】
【請求項１】
間仕切り装置を構成するパネルにおいて、パネルの両側端には縦保護枠を取付け、パネル上端には上保護枠を取付け、パネル下端には下保護枠を取付けたもので、上記各保護枠は概略Ｌ形断面の長尺材であって端面部と背面部を有し、各保護枠の端面部はパネル側端面、上端面、及び下端面に当り、背面部はパネルの裏面に当接して固定され、そして縦保護枠のコーナーには外側へ延びるＬ形断面の止着片を形成したことを特徴とする間仕切りパネル。
【請求項２】
上記パネルの材質をケイ酸カルシウムで構成し、保護枠をアルミ材とした請求項1記載の間仕切りパネル。
【請求項３】
スタッドを間にして両側にパネルを対向して取付けて成る間仕切り装置において、上記パネルの両側端には縦保護枠を取付け、パネル上端には上保護枠を取付け、パネル下端には下保護枠を取付けたもので、上記各保護枠は概略Ｌ形断面の長尺材であって端面部と背面部を有し、各保護枠の端面部はパネル側端面、上端面、及び下端面に当り、背面部はパネルの裏面に当接して固定され、そして縦保護枠のコーナーには外側へ延びるＬ形断面の止着片を形成し、該止着片をスタッド面に当接すると共に止着具を介してパネルをネジ止めしたことを特徴とする間仕切り装置。
【請求項４】
上記スタッドを間にして対向するパネル保護枠を互いに連結した請求項３記載の間仕切り装置。
【請求項５】
壁面に面して起立するスタッドにパネルを取付けて成る間仕切り装置において、上記パネルの両側端には縦保護枠を取付け、パネル上端には上保護枠を取付け、パネル下端には下保護枠を取付けたもので、上記各保護枠は概略Ｌ形断面の長尺材であって端面部と背面部を有し、各保護枠の端面部はパネル側端面、上端面、及び下端面に当り、背面部はパネルの裏面に当接して固定され、そして縦保護枠のコーナーには外側へ延びるＬ形断面の止着片を形成し、該止着片をスタッド面に当接すると共に止着具を介してパネルをネジ止めしたことを特徴とする間仕切り装置。
【発明の詳細な説明】
【技術分野】
【０００１】
本発明はケイ酸カルシウム板などを材質とした間仕切りパネル、及び該間仕切りパネルを使用した間仕切り装置に関するものである。
【背景技術】
【０００２】
図４は従来の一般的な間仕切り装置の横断面と縦断面を表している。巾木(ロ)に載ったパネル(イ)、(イ)は所定の間隔をおいて対向して起立し、該巾木(ロ)は床面に固定した床レール(ハ)に設置されているアジャスター装置(ニ)によって適当な高さに支持さされている。そして、パネル(イ)、(イ)の上端は天井(ヘ)に取付けた天井レール(ホ)に拘束されている。
【０００３】
又、左右のパネル(イ)、(イ)の間には垂直に起立するスタッド(ト)に側端が固定されている。すなわち、パネル(イ)は石膏ボード(チ)の表面に表面材(リ)を貼着して構成され、この表面材(リ)を石膏ボード(チ)の側端から外方向へ屈曲して止着片(ヌ)を設け、この止着片(ヌ)をスタッド(ト)にネジ止めした構造と成っている。壁面側にはエンドレール(ル)が取付けられて該壁面(ル)とパネル(イ)間の隙間をなくしている。
【０００４】
そして、隣合うパネル(イ)、(イ)の目地空間には目地材(ワ)が嵌って上記止着片(ヌ)及びネジ頭が見えないようにカバーしている。ところで、パネル(イ)の取付け方法は同図に示しているように巾木(ロ)に載せて側端に形成した止着片(ヌ)をネジ止めする場合に限らず、スタッド(ト)にツメを固定し、該ツメに止着片(ヌ)を係止して取付けることも出来る。この場合、止着片(ヌ)にはツメが嵌るスリット溝が形成されている。
【０００５】
このように、表面材(リ)としてスチール板を貼着したパネル(イ)であれば、スタッド(ト)にネジ止めしたり、ツメに係止して取付けることが可能と成るが、表面材(リ)を貼着しないパネルではこのような取付け構造とすることは出来ない。近年、間仕切りパネルにも色々な材質が使用され、表面材(リ)を貼着しないでパネルの材質をそのまま表面化して構成するパネル(イ)も存在している。
【０００６】
表面材が貼着されていない為に、該パネルをスタッド(ト)に固定するにはパネル側端部を直接ネジ止めしなくてはならず、その為に該ネジの頭がパネル面に露出してしまう。又、パネルの材質によっては強度が弱いものや脆いものもあり、その為に表面材のないパネルでは物が当るならば角が欠けてしまう。
【発明の開示】
【発明が解決しようとする課題】
【０００７】
このように、表面材を貼着しないパネルを使用する場合には上記のごとき問題がある。本発明が解決しようとする課題はこの問題点であり、脆い材質からなるパネルであっても角が欠けることはなく、またスタッドに側端を固定する為のネジやピンが露出しない間仕切りパネル、及び該パネルを用いた間仕切り装置を提供する。
【課題を解決するための手段】
【０００８】
本発明に係る間仕切りパネルは従来のようなスチール製の表面材を貼着することなく、周囲には保護枠が取付けられている。その為に、表面は被覆されず材質面が直接露出する形態と成っている。上記保護枠はパネル両側端、上端、下端に固定され、その形状は概略Ｌ形断面の長尺材である。そこで、背面部と端面部を有し、さらに縦保護枠の場合には端面部の背面部側となるコーナーには止着片を形成している。
【０００９】
本発明ではパネルの具体的な材質は限定せず、又保護枠の材質も限定しないことにし、該保護枠の背面部はパネル裏面に当り、各保護枠の端面部はパネルの側端面、下端面、及び上端面に当接して固定される。そして固定手段はピン止め、ネジ止め，又は接着剤が使用され、パネル表面には露出しないようにしている。
【００１０】
そして、該パネルはその下端が巾木に載り、側端はスタッドにネジ止めされるが、縦保護枠に設けた止着片をスタッド面に当接した状態でネジ止めしている。すなわち、縦保護枠に止着片を形成することで、パネル側端の止着構造を従来と同じように構成することが出来る。一方、前記図４に示す両面仕様の間仕切り装置と同じように構成することが可能であるが、対向する両パネルを保護枠を介して互いに連結した間仕切り装置として構成することも可能である。
【発明の効果】
【００１１】
本発明に係る間仕切りパネルは、表面材を貼着しないことでパネルの材質面を直接表面化することが出来、品質の高い高級な間仕切りパネルを構成できる。しかも、表面全体を被覆する表面材が不要となることでパネルコストは安くなる。そして、パネル材質は強度的に弱い場合、及び脆い場合であっても、周りには保護枠が取付けられることで、角が欠けたり、割れたりすることはない。
【００１２】
又、縦保護枠には止着片が形成されているために、表面材を貼着した従来のパネルを用いた場合と同じ仕様の間仕切り装置を構成することが出来る。すなわち、縦保護枠の背面をスタッド面に当接すると共に、止着片を該スタッドにネジ止めし、隣り合うパネル間の目地空間には目地材を嵌めることが出来る。
【実施例】
【００１３】
図１は本発明に係る間仕切りパネル１を示す実施例であり、(ａ)は表側を、(ｂ)裏側を表している。パネル１の材質は特に限定しないが、例えばケイ酸カルシウム板を使用することが出来る。このケイ酸カルシウム板は大理石のような表面模様を呈しており、この材質面を表面化することで高級な間仕切りパネルを構成することが可能と成る。従って、塗装したスチール板を表面材として貼着した従来のパネルに比較して、その質感が大きく向上する。
【００１４】
そして、パネル１の両側端には縦保護枠２，２が取付けられ、上端には上保護枠３が、下端には下保護枠４が取付けられている。しかし、これら各保護枠２，３，４はパネル表面５を被覆することなく、側端面、上端面、及び下端面、並びに裏面の外周部を被覆している。
【００１５】
図２には図１のＡ−Ａ断面拡大図を表しているように、縦保護枠２はパネルの側端面６と裏面７の一部を被覆している。縦保護枠２は概略Ｌ形断面の長尺材であって、互いに垂直を成す端面部８と背面部９を有している。端面部８はパネル側端面６に当接して先端１０はパネル表面５と同一面と成っており、背面部９はパネル裏面７に当接している。
【００１６】
ここで、縦保護枠２の取付け方法は限定しないが、当接面に接着剤を塗布して接着することが出来、又は背面部９と端面部８をネジ止めやピン止めすることも可能である。ネジやピンは裏側及び外側から打つことで、ネジ頭やピン頭がパネル表面に露出することはない。そして、概略Ｌ形断面の縦保護材２のコーナーには外方向へ延びる止着片１１が形成されている。
【００１７】
該止着片１１は先端を表面側へ屈曲したＬ形断面を成し、この止着片１１はスタッド表面に当接してネジ止めされる。ところで、上保護枠３及び下保護枠４も縦保護枠２と同じく概略Ｌ形断面の長尺材であり、しかし、上記止着片１１は不要となる。これら、縦保護枠２，２、上保護枠３、及び下保護枠４をパネル外周に取付けることで外周コーナーが保護されるが、同時に強度も補強される。
【００１８】
図３は本発明に係る間仕切り装置を示す横断面であり、隣り合うパネル１，１の側端が垂直に起立するスタッド１２に固定されている。パネル１の取付け構造は前記図４に示した場合と同じく、該スタッド１２には止着片１１がネジ止めされる。パネル側端に取付けられた縦保護枠２はその背面部９がスタッド面に当接し、同時に止着片１１もスタッド面に接する。
【００１９】
左右のパネル１，１に取付けた縦保護枠２，２をスタッド面に当接し、両縦保護枠２，２に形成している止着片１１，１１を概略Ｍ形断面の止着具１３で押え、そして止着具１３をネジ止めしている。従って、止着片１１，１１は止着具１３を介してスタッド１２に固定される。さらに、両パネル間に形成している目地空間には目地材１４を嵌めてネジ頭をカバーした構造と成っている。
【００２０】
図３に示す間仕切り装置はスタッド１２を挟んで両側にパネル１，１を対向して取付けた構造としているが、壁面に面してパネル１，１・・を取付けることもある。この場合には図3の間仕切り装置の片側パネルを省いて構成され、すなわち、壁面に面してスタッドを起立し、このスタッドに縦保護枠２に形成した止着片１１を介してパネル１をネジ止めすることが出来る。
【００２１】
一方、図3の間仕切り装置においては、スタッド１２の両側には対向してそれぞれのパネル１，１が独立して取付けられている。そこで、対向する側の保護枠を互いに連結することも出来、保護枠を介して対向した2枚のパネル１，１が1組と成って構成される。
【図面の簡単な説明】
【００２２】
【図１】本発明の間仕切りパネルで、(ａ)は表側、(ｂ)裏側を表している。
【図２】図１のＡ−Ａ断面拡大図。
【図３】本発明の間仕切り装置を示す横断面図。
【図４】従来の間仕切り装置。
【符号の説明】
【００２３】
１  パネル
２  縦保護枠
３  上保護枠
４  下保護枠
５  表面
６  側端面
７  裏面
８  端面部
９  背面部
10  先端
11  止着片
12  スタッド
13  止着具
14  目地材
【図１】
2007224679.tif 000003
【図２】
2007224679.tif 000004
【図３】
2007224679.tif 000005
【図４】
2007224679.tif 000006